(57)【特許請求の範囲】
【請求項１】
用紙束が折り曲げられて生成された冊子の折り曲げ部の平坦化処理を行う平坦化処理手段と、
前記平坦化処理を行うときの前記冊子の搬送経路を塞ぐ面を有し当該冊子の位置を決定する位置決め部と、当該冊子を支える面を有し当該平坦化処理後の次工程へ当該冊子を案内する案内部とを備え、当該位置決め部と当該案内部とが一体として移動する位置決め案内ユニットと、
前記位置決め案内ユニットを、前記平坦化処理手段が前記平坦化処理を行うときの前記冊子の位置を決定する場合には前記位置決め部が当該冊子の搬送経路を塞ぐ位置に存在する第１の位置へ、当該平坦化処理を行う場合には当該位置決め案内ユニットが当該平坦化処理手段の移動軌跡に干渉しない第２の位置へ、当該平坦化処理後に当該冊子を次工程に案内する場合には前記案内部が当該冊子を支える第３の位置へ、一体として移動させる移動手段と、
を含む用紙処理装置。
【請求項２】
前記移動手段は、駆動モータと、当該駆動モータの回転駆動力を前記位置決め案内ユニットに伝達する伝達機構と、を有し、
前記位置決め案内ユニットは、前記伝達機構から伝達される回転駆動力を受けて前記冊子の紙面に直交する方向に移動し、前記第１の位置、前記第２の位置、前記第３の位置に移動することを特徴とする請求項１記載の用紙処理装置。
【請求項３】
前記平坦化処理手段は、前記冊子の紙面に平行であり、かつ当該冊子の搬送方向に直交する方向に移動することにより前記平坦化処理を行う平坦化ローラを有し、
前記第２の位置は、前記位置決め案内ユニットが前記平坦化ローラの移動軌跡に干渉しない位置であることを特徴とする請求項１記載の用紙処理装置。
【請求項４】
前記移動手段は、前記位置決め案内ユニットを、前記平坦化ローラが移動開始する前に前記第１の位置から前記第２の位置に移動させ、当該平坦化ローラが前記平坦化処理を終えた後に前記第３の位置に移動させることを特徴とする請求項３記載の用紙処理装置。
【請求項５】
用紙束が折り曲げられて生成された冊子の折り曲げ部の平坦化処理を行う平坦化処理手段と、
前記平坦化処理を行うときの前記冊子の搬送経路を塞ぐ面を有し当該冊子の位置を決定する位置決め部と、当該冊子を支える面を有し当該平坦化処理後の次工程へ当該冊子を案内する案内部とを備え、当該位置決め部と当該案内部とが一体として移動する位置決め案内ユニットと、
前記位置決め案内ユニットの移動のための駆動力を付与する駆動モータと、
前記位置決め案内ユニットを、前記平坦化処理手段が前記平坦化処理を行うときの前記冊子の位置を決定する場合には前記位置決め部が当該冊子の搬送経路を塞ぐ位置に存在する第１の位置へ、当該平坦化処理を行う場合には当該位置決め案内ユニットが当該平坦化処理手段の移動軌跡に干渉しない第２の位置へ、当該平坦化処理後に当該冊子を次工程に案内する場合には前記案内部が当該冊子を支える第３の位置へ、一体として移動させるように前記駆動モータの回転を制御する制御部と、
を含む用紙処理装置。
【請求項６】
前記平坦化処理手段は、前記冊子の紙面に平行であり、かつ当該冊子の搬送方向に直交する方向に移動することにより前記平坦化処理を行う平坦化ローラを有するものであり、
前記第２の位置は、前記位置決め案内ユニットが前記平坦化ローラの移動軌跡に干渉しない位置であることを特徴とする請求項５記載の用紙処理装置。
【請求項７】
前記制御部は、前記位置決め案内ユニットが、前記平坦化ローラが移動開始する前に前記第１の位置から前記第２の位置に移動し、当該平坦化ローラが前記平坦化処理を終えた後に前記第３の位置に移動するように前記駆動モータを制御することを特徴とする請求項６記載の用紙処理装置。
【発明の詳細な説明】
【技術分野】
【０００１】
本発明は、用紙を処理する用紙処理装置に関する。
【背景技術】
【０００２】
折り曲げられた用紙束の折り曲げ部の品位の向上などのため、用紙束の折り曲げ部である湾曲した折り頂部を平坦化する平坦化処理を行う装置が提案されている。具体的には、背部が湾曲するように折りたたまれた用紙の小冊子を、背部に隣接してクランピングジョーで把持して固定し、背部の湾曲を平滑化するのに十分な圧力で成形ローラを突き出た背部の長さ方向に沿って一回以上走行させることにより平坦化する（例えば、特許文献１参照。）。
【０００３】
【特許文献１】特開２００１−２６０５６４号公報
【発明の開示】
【発明が解決しようとする課題】
【０００４】
ここで、用紙処理装置に、冊子の搬送方向に直行する方向に成形ローラを移動させて冊子の折り曲げ部を平坦化する平坦化処理部を備える場合がある。そして、この平坦化処理部を、用紙処理装置の最下流の工程とするのではなく、この平坦化処理を施した後に、例えば冊子の後端の用紙不揃い部分の断裁を行う断裁処理などの何らかの処理を施すことが望まれる場合がある。そして、用紙処理装置に、この平坦化処理の工程とともに平坦化処理の工程の後に何らかの処理を施す工程を設ける場合には、用紙処理装置を簡易な構成とすることが望まれる。
【課題を解決するための手段】
【０００５】
請求項１に記載の発明は、用紙束が折り曲げられて生成された冊子の折り曲げ部の平坦化処理を行う平坦化処理手段と、前記平坦化処理を行うときの前記冊子の搬送経路を塞ぐ面を有し当該冊子の位置を決定する位置決め部と、当該冊子を支える面を有し当該平坦化処理後の次工程へ当該冊子を案内する案内部とを備え、当該位置決め部と当該案内部とが一体として移動する位置決め案内ユニットと、前記位置決め案内ユニットを、前記平坦化処理手段が前記平坦化処理を行うときの前記冊子の位置を決定する場合には前記位置決め部が当該冊子の搬送経路を塞ぐ位置に存在する第１の位置へ、当該平坦化処理を行う場合には当該位置決め案内ユニットが当該平坦化処理手段の移動軌跡に干渉しない第２の位置へ、当該平坦化処理後に当該冊子を次工程に案内する場合には前記案内部が当該冊子を支える第３の位置へ、一体として移動させる移動手段と、を含む用紙処理装置。
【０００６】
請求項２に記載の発明は、前記移動手段は、駆動モータと、当該駆動モータの回転駆動力を前記位置決め案内ユニットに伝達する伝達機構と、を有し、前記位置決め案内ユニットは、前記伝達機構から伝達される回転駆動力を受けて前記冊子の紙面に直交する方向に移動し、前記第１の位置、前記第２の位置、前記第３の位置に移動することを特徴とする請求項１記載の用紙処理装置である。
【０００７】
請求項３に記載の発明は、前記平坦化処理手段は、前記冊子の紙面に平行であり、かつ当該冊子の搬送方向に直交する方向に移動することにより前記平坦化処理を行う平坦化ローラを有し、前記第２の位置は、前記位置決め案内ユニットが前記平坦化ローラの移動軌跡に干渉しない位置であることを特徴とする請求項１記載の用紙処理装置である。
請求項４に記載の発明は、前記移動手段は、前記位置決め案内ユニットを、前記平坦化ローラが移動開始する前に前記第１の位置から前記第２の位置に移動させ、当該平坦化ローラが前記平坦化処理を終えた後に前記第３の位置に移動させることを特徴とする請求項３記載の用紙処理装置である。
【０００８】
請求項５に記載の発明は、用紙束が折り曲げられて生成された冊子の折り曲げ部の平坦化処理を行う平坦化処理手段と、前記平坦化処理を行うときの前記冊子の搬送経路を塞ぐ面を有し当該冊子の位置を決定する位置決め部と、当該冊子を支える面を有し当該平坦化処理後の次工程へ当該冊子を案内する案内部とを備え、当該位置決め部と当該案内部とが一体として移動する位置決め案内ユニットと、前記位置決め案内ユニットの移動のための駆動力を付与する駆動モータと、前記位置決め案内ユニットを、前記平坦化処理手段が前記平坦化処理を行うときの前記冊子の位置を決定する場合には前記位置決め部が当該冊子の搬送経路を塞ぐ位置に存在する第１の位置へ、当該平坦化処理を行う場合には当該位置決め案内ユニットが当該平坦化処理手段の移動軌跡に干渉しない第２の位置へ、当該平坦化処理後に当該冊子を次工程に案内する場合には前記案内部が当該冊子を支える第３の位置へ、一体として移動させるように前記駆動モータの回転を制御する制御部と、を含む用紙処理装置である。
【０００９】
請求項６に記載の発明は、前記平坦化処理手段は、前記冊子の紙面に平行であり、かつ当該冊子の搬送方向に直交する方向に移動することにより前記平坦化処理を行う平坦化ローラを有するものであり、前記第２の位置は、前記位置決め案内ユニットが前記平坦化ローラの移動軌跡に干渉しない位置であることを特徴とする請求項５記載の用紙処理装置である。
請求項７に記載の発明は、前記制御部は、前記位置決め案内ユニットが、前記平坦化ローラが移動開始する前に前記第１の位置から前記第２の位置に移動し、当該平坦化ローラが前記平坦化処理を終えた後に前記第３の位置に移動するように前記駆動モータを制御することを特徴とする請求項６記載の用紙処理装置である。
【発明の効果】
【００１０】
本発明の請求項１によれば、位置決め部と案内部とを有する位置決め案内ユニットを平
坦化処理の状況に応じて移動させることで、平坦化処理を実現できるとともに平坦化処理
の工程の後に何らかの処理を施す工程を設けることができる。また、位置決め部と案内部を一体として移動させることで、構成をより簡素化できる。
本発明の請求項２によれば、位置決め案内ユニットを直線的に移動させることで、用紙
処理装置を簡易な構成にすることができる。
本発明の請求項３によれば、平坦化ローラの移動を妨げない位置に位置決め案内ユニッ
トを位置させることで良好に平坦化処理を行うことができる。
本発明の請求項４によれば、位置決め案内ユニットを平坦化処理の状況に応じて適切な
位置に配置することができる。
【００１１】
本発明の請求項５によれば、制御部の制御下にて位置決め案内ユニットを移動させるこ
とで、平坦化処理を実現できるとともに平坦化処理の工程の後に何らかの処理を施す工程
を設けることができる。また、位置決め部と案内部を一体として移動させることで、構成をより簡素化できる。
本発明の請求項６によれば、平坦化ローラの移動を妨げない位置に位置決め案内ユニッ
トを位置させることで良好に平坦化処理を行うことができる。
本発明の請求項７によれば、制御部の制御により平坦化処理の状況に応じて適切に位置
決め案内ユニットを配置することができる。
【発明を実施するための最良の形態】
【００１２】
以下、添付図面を参照して、本発明を実施するための最良の形態（実施の形態）について詳細に説明する。
図１は、本実施の形態に係る用紙処理装置１の概略構成を示す図である。用紙処理装置１は、例えば、電子写真方式によってカラー画像を形成するプリンタや複写機等の画像形成装置２に接続され、後処理装置として用いられる。
【００１３】
用紙処理装置１は、画像形成装置２にて画像形成された用紙を受け入れる用紙受け入れ手段を有するとともに、表紙となる用紙を別に格納して、冊子の表紙として追加挿入するインターポーザ３と、用紙を折るフォルダ４と、例えば用紙を束ねて用紙束にし、中綴じして折り曲げ、冊子を生成するブックレットユニットなどを有する第１の後処理装置５を備えている。さらに、用紙処理装置１は、第１の後処理装置５のブックレットユニットにて二つに折り曲げて生成された冊子の折り曲げ部を平坦化する平坦化処理を行う平坦化処理部１０と、冊子の後端の用紙不揃い部分の断裁を行う断裁部２０を有する第２の後処理装置６と、処理後の冊子を積載するスタッカ７を備えている。そして、用紙処理装置１には、第１の後処理装置５のブックレットユニットにて生成された冊子を第２の後処理装置６へ搬送する搬送ベルト８１と、第２の後処理装置６の平坦化処理部１０にて平坦化処理が施された冊子を断裁部２０へ搬送する搬送ローラ８２と、断裁部２０にて断裁された冊子をスタッカ７へ搬送する搬送ローラ８３が備えられている。なお、画像形成装置２内には、画像形成装置２および用紙処理装置１を制御する制御部３０が備えられている。
【００１４】
次に、第２の後処理装置６の平坦化処理部１０について説明する。
図２（ａ）は、平坦化処理部１０の概略構成を示す斜視図であり、図２（ｂ）は、図２（ａ）のＡ−Ａ断面を示す図である。なお、図２（ａ）に示すＸ方向は冊子Ｓの搬送方向である。また、Ｙ方向は、搬送される冊子Ｓの紙面に直交する方向、言い換えれば搬送ベルト８１（図１参照）の冊子搬送面に直交する方向である。上下方向という場合もある。また、Ｚ方向は、搬送される冊子Ｓの紙面に平行であり、かつ冊子Ｓの搬送方向に直交する方向、言い換えれば搬送ベルト８１の冊子搬送面に平行であり、かつ冊子Ｓの搬送方向に直交する方向である。なお、図２（ｂ）では平坦化ローラ１３を省略している。
【００１５】
図２に示すように、平坦化処理部１０は、第１の後処理装置５のブックレットユニットにて生成された冊子Ｓを平坦化処理位置へ案内する搬送シュート１１と、搬送されてきた冊子Ｓを把持する一対の冊子把持部材１２を備えている。この冊子把持部材１２の下側の冊子把持部材１２ａは、第２の後処理装置６の装置本体筐体に固定されており、上側の冊子把持部材１２ｂは、図２（ａ）のＹ方向に移動可能に支持されている。上側の冊子把持部材１２ｂを移動させるための手段としては、例えば、駆動モータ（不図示）と、この駆動モータの回転駆動力を上側の冊子把持部材１２ｂに伝達する歯車（不図示）と、この歯車にて伝達された回転駆動力をＹ方向への移動のための駆動力に変換する平歯車（不図示）などから構成される機構を例示することができるが、特にかかる態様に限定されるわけではない。
【００１６】
また、平坦化処理部１０は、図２（ａ）のＺ方向に移動し、冊子Ｓの折り曲げ部を平坦化する平坦化処理手段としての平坦化ローラ１３を備えている。平坦化ローラ１３を図２（ａ）のＺ方向に移動させるための手段としては、例えば、駆動モータ（不図示）と、この駆動モータの回転駆動力を平坦化ローラ１３に伝達する歯車（不図示）と、この歯車にて伝達された回転駆動力をＺ方向への移動のための駆動力に変換する平歯車（不図示）などから構成される機構を例示することができるが、特にかかる態様に限定されるわけではない。
【００１７】
また、平坦化処理部１０は、平坦化処理を行う際の冊子ＳのＸ方向の位置を決定する位置決め部１４ａと平坦化処理後の次工程である断裁部２０へ冊子Ｓを案内する案内部１４ｂとを有する位置決め案内ユニット１４を備えている。位置決め部１４ａは、搬送される冊子Ｓの先頭に突き当てるための冊子Ｓの搬送方向（Ｘ方向）に垂直な面を有し、案内部１４ｂは、搬送される冊子Ｓを支えるための冊子Ｓの紙面に平行な面を有している。また、位置決め案内ユニット１４には、図２（ａ）のＹ方向に延びるように形成された平歯車１４ｃがＺ方向の両端部の二箇所に設けられている。そして、２つの平歯車１４ｃは、それぞれ回転軸１５に結合された歯車１６と噛み合っている。回転軸１５の端部には歯車１７が結合されており、この歯車１７は、伝達歯車１８、伝達歯車１９を介して、駆動モータ１００と連結されている。これら駆動モータ１００、伝達歯車１８、伝達歯車１９、回転軸１５、歯車１６は、第２の後処理装置６の装置本体筐体にそれぞれ回転可能に支持されている。一方、位置決め案内ユニット１４は、Ｙ方向に移動できるように支持されている。
【００１８】
なお、駆動モータ１００は、両方向に回転するものであり、その回転方向及び回転駆動開始・停止が、制御部３０（図１参照）により制御されるようになっている。また、上側の冊子把持部材１２ｂに対してＹ方向に移動するための駆動力を与える駆動モータおよび平坦化ローラ１３に対してＺ方向に移動するための駆動力を与える駆動モータに関しても同様であり、その回転方向及び回転駆動開始・停止が、制御部３０（図１参照）により制御されるようになっている。また、搬送ベルト８１（図１参照）、搬送ローラ８２，８３（図１参照）を駆動するための駆動モータ（不図示）に関しても同様であり、その回転駆動開始・停止が、制御部３０（図１参照）により制御されるようになっている。また、制御部３０（図１参照）には、上側の冊子把持部材１２ｂの位置を検出する把持部材ポジションセンサ（不図示）や、搬送シュート１１上に冊子Ｓが搬送され停止したことを検出する冊子ポジションセンサ（不図示）や、位置決め案内ユニット１４のＹ方向の位置を検出するユニットポジションセンサ（不図示）や、平坦化ローラ１３の位置を検出するローラポジションセンサ（不図示）や、位置決め案内ユニット１４の案内部１４ｂ上を冊子Ｓが通過したことを検出する冊子ポジションセンサ（不図示）からの出力が入力されるようになっている。
【００１９】
次に、平坦化処理部１０の動作について説明する。
上述したように構成された平坦化処理部１０においては、駆動モータ１００が図２（ａ）のＴ１方向に回転すると、その回転駆動力が、伝達歯車１９→伝達歯車１８→歯車１７と伝達される。さらに、歯車１７と共に回転軸１５に結合され歯車１７と共に回転する歯車１６へと伝達され、歯車１６と噛み合う平歯車１４ｃを介して、位置決め案内ユニット１４を図２（ａ）のＵ１方向に移動させる。他方、駆動モータ１００が図２（ａ）のＴ２方向に回転すると、その回転駆動力を受けて、位置決め案内ユニット１４が図２（ａ）のＵ２方向に移動する。このように、本実施の形態においては、駆動モータ１００と、回転軸１５、歯車１６、歯車１７、伝達歯車１８、伝達歯車１９などから構成される伝達機構が、位置決め案内ユニット１４を移動させる移動手段を構成している。
【００２０】
図２に示す位置決め案内ユニット１４の位置が、位置決め案内ユニット１４が最も上昇した位置となる第１の位置である。位置決め案内ユニット１４がこの第１の位置に位置するときには、位置決め案内ユニット１４の位置決め部１４ａが冊子Ｓの搬送経路を塞ぎ、搬送ベルト８１（図１参照）によって搬送されてきた冊子Ｓは、位置決め部１４ａに突き当たることにより停止して位置決めされる。その際、スキュー補正も同時に行われる。そして、制御部３０（図１参照）は、冊子ポジションセンサの出力から冊子Ｓが停止したことを認識すると、上側の冊子把持部材１２ｂを下降させるとともに搬送ベルト８１（図１参照）の駆動を停止させる。これにより、この位置で、冊子Ｓは、冊子把持部材１２によって把持される。
【００２１】
制御部３０（図１参照）は、把持部材ポジションセンサの出力から上側の冊子把持部材１２ｂが下降して停止し冊子Ｓが冊子把持部材１２によって把持されたことを検知すると、駆動モータ１００を図２（ａ）のＴ１方向に回転させる。すると、位置決め案内ユニット１４が図２（ａ）のＵ１方向に移動する。
【００２２】
図３（ａ）は、位置決め案内ユニット１４が第２の位置に位置するときの状態を示す斜視図であり、図３（ｂ）は、図３（ａ）のＡ−Ａ断面を示す図である。
制御部３０（図１参照）は、駆動モータ１００を図２（ａ）のＴ１方向に回転させて、位置決め案内ユニット１４を図２（ａ）のＵ１方向に移動させた後、上述した位置決め案内ユニット１４の位置を検出するユニットポジションセンサからの出力により、位置決め案内ユニット１４が第２の位置まで下降したことを検知すると、駆動モータ１００を停止させる。なお、第２の位置とは、位置決め案内ユニット１４が平坦化ローラ１３の移動軌跡に干渉しない位置のことをいう。すなわち、位置決め案内ユニット１４がこの第２の位置に位置する場合には、平坦化ローラ１３がＺ方向へ移動しても、位置決め案内ユニット１４とは干渉しない。
【００２３】
そして、位置決め案内ユニット１４が図３に示す第２の位置に移動した後、制御部３０（図１参照）は、平坦化ローラ１３を、Ｚ方向に移動させる。これにより、平坦化ローラ１３が冊子Ｓの折り曲げ部を平坦化する。制御部３０（図１参照）は、その後ローラポジションセンサ（不図示）からの出力により、平坦化ローラ１３が平坦化処理を行い、元の位置（図２（ａ）の位置）に停止したことを検知すると、駆動モータ１００を図２（ａ）のＴ２方向に回転させる。すると、位置決め案内ユニット１４が図２（ａ）のＵ２方向に移動する。
【００２４】
図４（ａ）は、位置決め案内ユニット１４が冊子Ｓを案内する位置である第３の位置に位置するときの状態を示す斜視図であり、図４（ｂ）は、図４（ａ）のＡ−Ａ断面を示す図である。なお、図４（ｂ）では平坦化ローラ１３を省略している。
制御部３０（図１参照）は、駆動モータ１００を図２（ａ）のＴ２方向に回転させて、位置決め案内ユニット１４を図２（ａ）のＵ２方向に移動させた後、上述したユニットポジションセンサからの出力により、位置決め案内ユニット１４が第３の位置まで上昇したことを検知すると、駆動モータ１００を停止させる。なお、第３の位置とは、搬送される冊子Ｓと案内部１４ｂが接し、搬送される冊子Ｓを支える位置のことをいう。すなわち、位置決め案内ユニット１４がこの第３の位置に位置する場合には、冊子Ｓが案内部１４ｂに接しながら位置決め案内ユニット１４を通過していく。
【００２５】
その後、制御部３０（図１参照）は、上側の冊子把持部材１２ｂを上昇させるために駆動モータを駆動させるとともに搬送ベルト８１（図１参照）および搬送ローラ８２（図１参照）を駆動させる。これにより、位置決め案内ユニット１４の位置が図４に示す第３の位置であるときに、搬送ベルト８１および搬送ローラ８２により搬送される冊子Ｓが位置決め案内ユニット１４の案内部１４ｂ上を通過し、断裁部２０へ搬送される。制御部３０（図１参照）は、その後上述した冊子ポジションセンサ（不図示）からの出力により、搬送ベルト８１及び搬送ローラ８２により搬送される冊子Ｓが位置決め案内ユニット１４の案内部１４ｂ上を通過したことを検知すると、駆動モータ１００を図２（ａ）のＴ２方向に回転させる。すると、位置決め案内ユニット１４が図２（ａ）のＵ２方向に移動する。そして、制御部３０（図１参照）は、上述したユニットポジションセンサからの出力により、位置決め案内ユニット１４が第１の位置まで上昇したことを検知すると、駆動モータ１００を停止させる。そして、位置決め案内ユニット１４は、次に冊子Ｓが搬送されてくるまで第１の位置で待機する。
【００２６】
このように、本実施の形態に係る平坦化処理部１０においては、冊子Ｓの搬送方向の位置を決定する位置決め部１４ａと次工程へ冊子Ｓを案内する案内部１４ｂとを有する位置決め案内ユニット１４を、冊子Ｓの搬送方向の位置決めを行う第１の位置、平坦化ローラ１３による平坦化処理の際に退避する位置である第２の位置、平坦化処理後の冊子Ｓを次工程へ案内する位置である第３の位置へと、移動させる。
これにより、簡易な構成で、平坦化処理と、平坦化処理後に例えば断裁処理などの他の工程の両立を実現させることができる。
【００２７】
なお、上述した実施の形態では、位置決め案内ユニット１４は、図２に示す形状であるが、特にかかる形状に限定されるものではない。位置決め部１４ａは、上述した第１の位置に位置している場合に、冊子Ｓの搬送経路を塞ぎ冊子Ｓの搬送方向の位置を定める機能を有していればいかなる形状、構造のものでもよい。また、案内部１４ｂは、上述した第３の位置に位置している場合に、冊子Ｓを次工程へ案内する機能を有していればいかなる形状、構造のものでもよい。また、位置決め部１４ａと案内部１４ｂが一体となってＹ方向に移動すれば、位置決め部１４ａと案内部１４ｂを一つのユニットとする手段はいかなる手段でもよい。位置決め部１４ａと案内部１４ｂとをネジにて固定してもよいし、接着剤あるいは溶接にて固定してもよい。
【００２８】
また、上述した実施の形態では、画像形成装置２内に備えられた制御部３０で、平坦化処理部１０の駆動モータ１００を制御する構成としているが、特にかかる構成に限定されるものではない。例えば、画像形成装置２内に備えられた制御部３０とは別に、用紙処理装置１専用の制御装置が設けられている場合には、かかる制御装置で駆動モータ１００を制御してもよい。また、第２の後処理装置６専用の制御装置が設けられている場合には、かかる制御装置で駆動モータ１００を制御してもよい。
また、上側の冊子把持部材１２ｂ、平坦化ローラ１３、搬送ベルト８１、搬送ローラ８２，８３を駆動するための駆動モータに関しても同様であり、制御部３０で制御する態様に限定されるものではなく、用紙処理装置１専用の制御装置が設けられている場合には、かかる制御装置で制御してもよいし、第２の後処理装置６専用の制御装置が設けられている場合には、かかる制御装置で制御してもよい。
【図面の簡単な説明】
【００２９】
【図１】本実施の形態に係る用紙処理装置の概略構成を示す図である。
【図２】（ａ）は、本実施の形態に係る平坦化処理部の概略構成を示す斜視図であり、位置決め案内ユニットが第１の位置に位置しているときの図である。（ｂ）は、（ａ）のＡ−Ａ断面を示す図である。
【図３】（ａ）は、位置決め案内ユニットが第２の位置に位置しているときの平坦化処理部の概略構成を示す斜視図である。（ｂ）は、（ａ）のＡ−Ａ断面を示す図である。
【図４】（ａ）は、位置決め案内ユニットが第３の位置に位置しているときの平坦化処理部の概略構成を示す斜視図である。（ｂ）は、（ａ）のＡ−Ａ断面を示す図である。
【符号の説明】
【００３０】
１…用紙処理装置、２…画像形成装置、３…インターポーザ、４…フォルダ、５…第１の後処理装置、６…第２の後処理装置、７…スタッカ、１０…平坦化処理部、１１…搬送シュート、１２…冊子把持部材、１３…平坦化ローラ、１４…位置決め案内ユニット、１４ａ…位置決め部、１４ｂ…案内部、１４ｃ…平歯車、１５…回転軸、１６、１７…歯車、１８、１９…伝達歯車、２０…断裁部、３０…制御部、１００…駆動モータ、Ｓ…冊子
【図１】
0004775371.tif 000002
【図２】
0004775371.tif 000003
【図３】
0004775371.tif 000004
【図４】
0004775371.tif 000005